(57)【要約】      （修正有）【課題】現像剤を良好に除去することができる清掃装置、定着装置及び画像形成装置を提供する。【解決手段】加熱ロール４１０と、加熱ロール４１０に接触するように回転し、加熱ロール４１０に付着した現像剤を清掃する清掃ブラシ４４０と、加熱ロール４１０の表面及び清掃ブラシ４４０の表面に接触するように回転し、加熱ロール４１０の表面に付着した現像剤及び清掃ブラシ４４０の表面に付着した現像剤を清掃する清掃ロール４５０とを有する。【選択図】図３
2013213959.tif 000002
【特許請求の範囲】
【請求項１】
現像剤が付着する表面を有し、該表面が移動する移動部材と、
前記移動部材に接触するように回転し、前記移動部材に付着した現像剤を清掃する第１の清掃部材と、
前記移動部材の表面及び前記第１の清掃部材の表面に接触するように回転し、前記移動部材の表面に付着した現像剤及び前記第１の清掃部材の表面に付着した現像剤を清掃する第２の清掃部材と、
を有する清掃装置。
【請求項２】
前記移動部材、前記第１の清掃部材、及び前記第２の清掃部材は、同方向に回転する請求項１記載の清掃装置。
【請求項３】
前記第１の清掃部材及び前記第２の清掃部材は、前記移動部材に接触する部分の材質が互いに異なる請求項１又は２記載の清掃装置。
【請求項４】
前記第１の清掃部材及び前記第２の清掃部材に、前記移動部材が保持する現像剤の極性と逆極性の電圧が印加される請求項１乃至３いずれか記載の清掃装置。
【請求項５】
記録媒体の現像剤像を保持する面に接触した状態で回転し、記録媒体が保持する現像剤像を加熱する加熱部材と、
前記加熱部材に記録媒体を押圧する押圧部材と、
前記加熱部材に接触するように回転し、前記加熱部材に付着した現像剤を清掃する第１の清掃部材と、
前記加熱部材の表面及び前記第１の清掃部材の表面に接触するように回転し、前記加熱部材の表面に付着した現像剤及び前記第１の清掃部材の表面に付着した現像剤を清掃する第２の清掃部材と、
を有する定着装置。
【請求項６】
表面が移動し、該表面で現像剤像を保持する像保持体と、
前記像保持体に接触するように回転し、前記像保持体に付着した現像剤を清掃する第１の清掃部材と、
前記像保持体の表面及び前記第１の清掃部材の表面に接触するように回転し、前記像保持体の表面に付着した現像剤及び前記第１の清掃部材の表面に付着した現像剤を清掃する第２の清掃部材と、
を有する画像形成装置。
【請求項７】
現像剤像を形成する現像剤像形成部と、
記録媒体の前記現像剤像形成部で形成された現像剤像を保持する面に接触した状態で回転し、記録媒体が保持する現像剤像を加熱する加熱部材と、
前記加熱部材に記録媒体を押圧する押圧部材と、
前記加熱部材に接触するように回転し、前記加熱部材に付着した現像剤を清掃する第１の清掃部材と、
前記加熱部材の表面及び前記第１の清掃部材の表面に接触するように回転し、前記加熱部材の表面に付着した現像剤及び前記第１の清掃部材の表面に付着した現像剤を清掃する第２の清掃部材と、
を有する画像形成装置。
【請求項８】
前記現像剤像形成部は、現像剤像を保持する像保持体を有し、
前像保持体から除去された現像剤を搬送するために用いられる現像剤搬送路をさらに有し、
前記第１の清掃部材から除去された現像剤及び前記第２の清掃部材から除去された現像剤が前記現像剤搬送路に案内される請求項７記載の画像形成装置。
【発明の詳細な説明】
【技術分野】
【０００１】
本発明は、清掃装置、定着装置及び画像形成装置に関する。
【背景技術】
【０００２】
特許文献１には、加熱部材と加圧部材間に記録媒体を通して搬送しながら該記録媒体上のトナー画像を定着する定着部と、前記加圧部材に付着したトナーを除去するクリーニング部と、を備えた定着装置において、前記クリーニング部のクリーニング部材は巻き取り式のウエブで構成され、前記加圧部材側に当接される前記ウエブの面は該面を内側にしてウエブ巻き取り軸上に巻き取られ、該ウエブ巻き取り軸によって巻き取られた前記ウエブの表面にはクリーニングローラが当接されることを特徴とする定着装置が開示されている。
【０００３】
特許文献２には、未定着現像剤像を担持した記録媒体を互いに圧接された定着体及び加圧体の間に形成されたニップ部に通紙しながら、加熱手段の加熱により前記記録媒体に定着処理を施す定着装置において、現像剤を主成分とし加圧体に付着した付着物を加圧体から掻き取る第一の掻取体と、第一の掻取体が加圧体から前記付着物を掻き取ることにより第一の掻取体に付着した付着物を第一の掻取体から掻き取る第二の掻取体とを備えることを特徴とする定着装置が開示されている。
【先行技術文献】
【特許文献】
【０００４】
【特許文献１】特開２００９−３７０７８号公報
【特許文献２】特開平１１−２３７８０３号公報
【発明の概要】
【発明が解決しようとする課題】
【０００５】
本発明は、現像剤を良好に除去することができる清掃装置、定着装置及び画像形成装置を提供することを目的とする。
【課題を解決するための手段】
【０００６】
請求項１に係る本発明は、現像剤が付着する表面を有し、該表面が移動する移動部材と、前記移動部材に接触するように回転し、前記移動部材に付着した現像剤を清掃する第１の清掃部材と、前記移動部材の表面及び前記第１の清掃部材の表面に接触するように回転し、前記移動部材の表面に付着した現像剤及び前記第１の清掃部材の表面に付着した現像剤を清掃する第２の清掃部材と、を有する清掃装置である。
【０００７】
請求項２に係る本発明は、前記移動部材、前記第１の清掃部材、及び前記第２の清掃部材は、同方向に回転する請求項１記載の清掃装置である。
【０００８】
請求項３に係る本発明は、前記第１の清掃部材及び前記第２の清掃部材は、前記移動部材に接触する部分の材質が互いに異なる請求項１又は２記載の清掃装置である。
【０００９】
請求項４に係る本発明は、前記第１の清掃部材及び前記第２の清掃部材に、前記移動部材が保持する現像剤の極性と逆極性の電圧が印加される請求項１乃至３いずれか記載の清掃装置である。
【００１０】
請求項５に係る本発明は、記録媒体の現像剤像を保持する面に接触した状態で回転し、記録媒体が保持する現像剤像を加熱する加熱部材と、前記加熱部材に記録媒体を押圧する押圧部材と、前記加熱部材に接触するように回転し、前記加熱部材に付着した現像剤を清掃する第１の清掃部材と、前記加熱部材の表面及び前記第１の清掃部材の表面に接触するように回転し、前記加熱部材の表面に付着した現像剤及び前記第１の清掃部材の表面に付着した現像剤を清掃する第２の清掃部材と、を有する定着装置である。
【００１１】
請求項６に係る本発明は、表面が移動し、該表面で現像剤像を保持する像保持体と、前記像保持体に接触するように回転し、前記像保持体に付着した現像剤を清掃する第１の清掃部材と、前記像保持体の表面及び前記第１の清掃部材の表面に接触するように回転し、前記像保持体の表面に付着した現像剤及び前記第１の清掃部材の表面に付着した現像剤を清掃する第２の清掃部材と、を有する画像形成装置である。
【００１２】
請求項７に係る本発明は、現像剤像を形成する現像剤像形成部と、記録媒体の前記現像剤像形成部で形成された現像剤像を保持する面に接触した状態で回転し、記録媒体が保持する現像剤像を加熱する加熱部材と、前記加熱部材に記録媒体を押圧する押圧部材と、前記加熱部材に接触するように回転し、前記加熱部材に付着した現像剤を清掃する第１の清掃部材と、前記加熱部材の表面及び前記第１の清掃部材の表面に接触するように回転し、前記加熱部材の表面に付着した現像剤及び前記第１の清掃部材の表面に付着した現像剤を清掃する第２の清掃部材と、を有する画像形成装置である。
【００１３】
請求項８に係る本発明は、前記現像剤像形成部は、現像剤像を保持する像保持体を有し、前像保持体から除去された現像剤を搬送するために用いられる現像剤搬送路をさらに有し、前記第１の清掃部材から除去された現像剤及び前記第２の清掃部材から除去された現像剤が前記現像剤搬送路に案内される請求項７記載の画像形成装置である。
【発明の効果】
【００１４】
請求項１に係る本発明によれば、現像剤を良好に除去することができる清掃装置を提供することができる。
【００１５】
請求項２に係る本発明によれば、請求項１に係る本発明が奏する効果を奏することに加えて、本構成を有しない場合と比較して、現像剤を良好に除去することができる清掃装置を提供することができる。
【００１６】
請求項３に係る本発明によれば、請求項１又は２に係る本発明が奏する効果を奏することに加えて、本構成を有しない場合と比較して、現像剤を良好に除去することができる清掃装置を提供することができる。
【００１７】
請求項４に係る本発明によれば、請求項１乃至３いずれかに係る本発明が奏する効果を奏することに加えて、本構成を有しない場合と比較して、現像剤を良好に除去することができる清掃装置を提供することができる。
【００１８】
請求項５に係る本発明によれば、現像剤を良好に除去することができる定着装置を提供することができる。
【００１９】
請求項６に係る本発明によれば、現像剤を良好に除去することができる画像形成装置を提供することができる。
【００２０】
請求項７に係る本発明によれば、現像剤を良好に除去することができる画像形成装置を提供することができる。
【００２１】
請求項８に係る本発明によれば、請求項７に係る本発明が奏する効果を奏することに加えて、除去された現像剤を簡単な構成で回収することができる画像形成装置を提供することができる。
【図面の簡単な説明】
【００２２】
【図１】本発明の第１の実施形態に係る画像形成装置を左側から示す図である。
【図２】図１に示す画像形成装置が有する像形成構造体を左側から示す図である。
【図３】図１に示す画像形成装置が有する定着装置を左側から示す図である。
【図４】図３に示す定着装置に駆動を伝達する機構を示す図である。
【図５】本発明の第１の実施形態に係る画像形成装置の変形例の要部を示す図である。
【図６】本発明の第２の実施形態に係る画像形成装置を左側から示す図である。
【発明を実施するための形態】
【００２３】
次に本発明の実施形態を図面に基づいて説明する。
図１には、本発明の第１の実施形態に係る画像形成装置１０が示されている。画像形成装置１０は、画像形成装置本体１２を有し、画像形成装置本体１２内に、現像剤像を形成する現像剤像形成部１００と、現像剤像形成部１００で形成された現像剤像を用紙に転写する転写装置２００と、現像剤像形成部１００で形成され、転写装置２００で用紙に転写された現像剤像を用紙に定着させる定着装置４００と、現像剤像形成部１００に用紙（記録媒体）を供給する記録媒体供給部として用いられている給紙装置３００とが設けられている。
【００２４】
また、画像形成装置本体１２内には、主搬送路５１０と、定着装置４００によって一方の面に現像剤像が形成された用紙を反転させて、現像剤像形成部１００に再び搬送する再搬送装置５６０を構成する要素の１つである反転搬送路５６２とが形成されている。また、画像形成装置１０は、制御部として用いられている制御回路６００を有し、画像形成装置本体１２の上部は、用紙が排出される排出部１４として用いられている。また、画像形成装置本体１２の例えば前側（図１における右側）には、画像形成装置１０を操作するための操作部として用いられている操作パネル６１０が取り付けられている。
【００２５】
現像剤像形成部１００は、例えばカラー画像を形成し、電子写真方式が採用されている。現像剤像形成部１００は、像保持体として用いられている例えば円筒形状の感光体ドラム１１０Ｙ、感光体ドラム１１０Ｍ、感光体ドラム１１０Ｃ、感光体ドラム１１０Ｋをそれぞれに有する例えば４個の像形成構造体１０２Ｙ、像形成構造体１０２Ｍ、像形成構造体１０２Ｃ、像形成構造体１０２Ｋと、潜像形成装置１６０とを有する。像形成構造体１０２Ｍ、像形成構造体１０２Ｃ、像形成構造体１０２Ｋと、潜像形成装置１６０の詳細は後述する。
【００２６】
現像剤像形成部１００は、用紙の端部周辺に例えば一定の幅の余白を形成し、この余白の内側に画像を形成することも、用紙の端部周辺に余白を形成することなく用紙の全面に現像剤像を形成することもできる。例えば、写真等の画像を形成する場合は、紙の端部近傍に余白を形成することなく用紙の全面に画像を形成することが多く、例えば文字を主体とする画像を形成する場合は、端部近傍に余白を形成し、この余白の内側に画像を形成することが多い。用紙の端部近傍に余白を形成するように現像剤像を形成するのか、用紙に余白を形成しないように現像剤像を形成するかは、例えば操作者の操作に応じて制御回路６００の制御により定められる。
【００２７】
潜像形成装置１６０は、例えばレーザ露光装置からなり、感光体ドラム１１０Ｙにイエローの画像に対応するレーザ光を、感光体ドラム１１０Ｍにマゼンタの画像に対応するレーザ光を、感光体ドラム１１０Ｃにシアンの画像に対応するレーザ光を、感光体ドラム１１０Ｋに黒の画像に対応するレーザ光をそれぞれ発し、感光体ドラム１１０Ｙ、感光体ドラム１１０Ｍ、感光体ドラム１１０Ｃ、感光体ドラム１１０Ｋにそれぞれ静電潜像を形成する。
【００２８】
転写装置２００は、感光体ドラム１１０Ｙ、感光体ドラム１１０Ｍ、感光体ドラム１１０Ｃ、感光体ドラム１１０Ｋにそれぞれに形成されたイエローの現像剤からなる現像剤像、マゼンタの現像剤からなる現像剤像、シアンの現像剤からなる現像剤像、黒の現像剤からなる現像剤像を用紙に転写する。転写装置２００は、用紙搬送部材２０２と、転写ロール２１０Ｙ、転写ロール２１０Ｍ、転写ロール２１０Ｃ、転写ロール２１０Ｋとを有する。
【００２９】
用紙搬送部材２０２は、例えば帯状であり、例えば無端状であって、例えば静電的に吸着することで用紙を保持し、保持した用紙を搬送する。用紙搬送部材２０２は、例えば、２つの支持ロールである支持ロール２０４、支持ロール２０６によって支持されている。支持ロール２０４、支持ロール２０６の少なくともいずれか一方は、用紙搬送部材２０２に駆動を伝達する駆動ローラとして用いられていて、用紙搬送部材２０２に駆動を伝達し、用紙搬送部材２０２を図１に示す矢印方向に回転させる。
【００３０】
転写ロール２１０Ｙ、転写ロール２１０Ｍ、転写ロール２１０Ｃ、転写ロール２１０Ｋは、例えば用紙搬送部材２０２の内側に、用紙搬送部材２０２を介して感光体ドラム１１０Ｙ、感光体ドラム１１０Ｍ、感光体ドラム１１０Ｃ、感光体ドラム１１０Ｋとそれぞれに対向するように配置されている。また、転写ロール２１０Ｙ、転写ロール２１０Ｍ、転写ロール２１０Ｃ、転写ロール２１０Ｋには、それぞれに転写バイアスが印加されていて、感光体ドラム１１０Ｙ、感光体ドラム１１０Ｍ、感光体ドラム１１０Ｃ、感光体ドラム１１０Ｋに形成された現像剤像を、用紙搬送部材２０２によって搬送中の用紙へと順に転写し、用紙にイエローの現像剤像、マゼンタの現像剤像、シアンの現像剤像、黒の現像剤像との４色の現像剤像が重ねられた現像剤像を形成する。
【００３１】
転写装置２００で用紙に現像剤を転写する際に、現像剤像形成部１００で用紙の全面に画像を形成するように現像剤像が形成された場合は、本来、現像剤像を形成する現像剤を転写するべき位置である用紙の転写面のみならず、用紙の縁部（厚み部分）にも現像剤が付着してしまうことがある。この場合、用紙の縁部に付着した現像剤等によって、定着装置４００有する後述する加熱ロール４１０に現像剤が付着しやすくなる。
【００３２】
給紙装置３００は、現像剤像形成部１００に用紙を供給する。給紙装置３００は、第１給紙装置３１０と第２給紙装置３３０とを有する。第１給紙装置３１０と第２給紙装置３３０とは、厚さ、大きさ等が互いに異なる用紙を収納することができ、厚さ、大きさ等が互いに異なる用紙を現像剤像形成部１００に供給することができるようになっている。以後の説明においては、第１の給紙装置３１０には、例えば、写真等の画像を形成する際に用いられることが多く、第２の給紙装置３３０に収納された用紙よりも厚い用紙（以下、「厚紙」とする）が収納されていて、第２の給紙装置３３０には、文字の画像を形成する場合に用いられることが多く、第１の給紙装置３３０に収納された厚紙よりも厚さが薄い用紙（以下、「普通紙」とする）が収納されている場合を例として説明をする。
【００３３】
第１給紙装置３１０は、用紙収納容器３１２を有する。用紙収納容器３１２には、例えば厚紙等の用紙が積層するように収納されていて、用紙収納容器３１２は、画像形成装置本体１２に対して、例えば前側に引き出し可能、又は取り外し可能となっている。また、第１給紙装置３１０は、用紙収納容器３１２から用紙を送り出す送り出しロール３１４を有する。
【００３４】
第２給紙装置３３０は、用紙収納容器３３２を有する。用紙収納容器３３２には、例えば普通紙等の用紙が積層するように収納されていて、用紙収納容器３３２は、画像形成装置本体１２に対して、例えば前側に引き出し可能、又は取り外し可能となっている。また、第２給紙装置３３０は、用紙収納容器３３２から用紙を送り出す送り出しロール３３４を有する。
【００３５】
主搬送路５１０は、給紙装置３００から転写装置２００に向けて用紙を搬送し、転写装置２００から排出部１４へ排出するように用紙を搬送する際に用いられる搬送路である。主搬送路５１０に沿って、用紙搬送方向における上流側から順に、先述の給紙装置３００と、レジストロール５１４と、先述の現像剤像形成部１００及び転写装置２００と、先述の定着装置４００と、排出ロール５１８とが配置されている。
【００３６】
レジストロール５１４は、現像剤像形成部１００及び転写装置２００に向けて搬送される用紙の先端部の現像剤像形成部１００及び転写装置２００側に向けての移動を一時的に停止させ、感光体ドラム１１０Ｙ、１１０Ｍ、１１０Ｃ、１１０Ｋにそれぞれに現像剤像が形成されるタイミングと合致するように、用紙の先端部の現像剤像形成部１００及び転写装置２００に向けての移動を再開させる。
【００３７】
排出ロール５１８は、回転方向を切り替えられるようになっていて、一方の方向に回転することで、定着装置４００から搬送されて来た用紙を排出部１４へ排出する。また、排出ロール５１８は、他方の方向に回転することにより排出部１４側から画像形成装置本体１２内へと用紙を引込み、反転搬送路５６２へ用紙を供給する。
【００３８】
反転搬送路５６２は、定着装置４００によって一方の面に現像剤像が定着された用紙を反転させて、現像剤像形成部１００に再び搬送するために用いられていて、排出ロール５１８からレジストロール５１４の上流側に用紙を搬送する。また、反転搬送路５６２に沿って、例えば３つの反転搬送ロール５６４が配置されている。反転搬送路５６２と、例えば３つの反転搬送ロール５６４とで再搬送装置５６０が構成されている。
【００３９】
一方の面に画像が形成された用紙の他方の面に画像を形成する場合は、画像が形成された用紙の後端部近傍に排出ロール５１８が接触した状態で、排出ロール５１８が用紙を反転搬送路５６２へ供給する方向への回転を開始し、この回転により用紙が後端側から反転搬送路５６２へ供給され、供給された用紙が３つの反転搬送ロール５６４によってレジストロール５１４の上流側へ搬送される。
【００４０】
図２には、像形成構造体１０２が示されている。
像形成構造体１０２Ｙ、像形成構造体１０２Ｍ、像形成構造体１０２Ｃ、像形成構造体１０２Ｋは、形成する現像剤像の色が異なるものの、構成は同じであるので、以下、像形成構造体１０２と総称して説明する。図２に示されるように、像形成構造体１０２は、像形成構造体本体１０４を有し、像形成構造体本体１０４内に、先述の感光体ドラム１１０と、感光体ドラム１１０を一様に帯電する帯電装置１１４と、潜像形成装置１６０（図１参照）により感光体ドラム１１０に形成された潜像を現像剤を用いて現像する現像装置１１６と、転写装置２００（図１参照）による現像剤像の転写がなされた後に感光体ドラム１１０に残留する現像剤等を清掃する清掃装置１１８とが設けられている。
【００４１】
像形成構造体本体１０４には、水平方向における一端部から他端部近傍まで至るレーザ光路１０６が形成されていて、潜像形成装置１６０から照射されたレーザ光が、レーザ光路１０６を通過して感光体ドラム１１０へと到達するようになっている。
【００４２】
図３には、定着装置４００が示されている。
定着装置４００は、加熱ロール４１０と、加熱ロール４１０に押し付けられている加圧ロール４３０とを有し、加熱ロール４１０と加圧ロール４３０との接触部で用紙に転写された現像剤を加熱し、加圧して、現像剤像形成部１００で形成された現像剤像を用紙に定着させる。
【００４３】
加熱ロール４１０は、現像剤が付着する表面を有し、この表面が移動する移動部材として用いられて、用紙の現像剤像形成部１００で形成された現像剤像を保持する面に接触した状態で回転し、用紙が保持する現像剤像を加熱する。加熱ロール４１０は、例えば円筒形状の回転部材４１２と、回転部材４１２の内側に配置された熱源４１４とを有する。回転部材４１２は、後述するモータ４６４（図４参照）からの駆動伝達を受けて、図３に示す矢印a方向に回転する。
【００４４】
加圧ロール４３０は、加熱ロール４１０に用紙を押圧する押圧部材として用いられていて、例えば回転部材４１２と連れ回りして回転するようになっている。
【００４５】
また、定着装置４００は、清掃ブラシ４４０を有する。清掃ブラシ４４０は、加熱ロール４１０に接触するように回転し、加熱ロール４１０の表面に付着した現像剤を清掃する第１の清掃部材として用いられていて、後述するモータ４６４（図４参照）からの駆動伝達を受けて図３に示す矢印ｂ方向に回転する。清掃ブラシ４４０の毛材としては、樹脂を材料とする毛材を用いることができ、より具体的には、例えばレーヨン、ナイロン、アセテート、銅アンモニア、ビニリデン、ビニロン、弗化エチレン、ベンゾエート、ポリウレタン、ポリエステル、ポリエチレン、ポリ塩化ビニル、ポリプロピレン等からなる毛材を用いることができる。
【００４６】
ここで、矢印ｂで示されている清掃ブラシ４４０の回転する方向は、矢印aで示されている加熱ロール４１０の回転方向と同じである。このため、清掃ブラシ４４０と加熱ロール４１０とが接触する位置において、清掃ブラシ４４０の表面と加熱ロール４１０の表面とは逆方向に移動し、また周速差を持って回転する。清掃ブラシ４４０に、加熱ロール４１０に付着する現像の極性と逆の電圧を印加するようにしても良い。
【００４７】
また、定着装置４００は、清掃ロール４５０を有する。清掃ロール４５０は、加熱ロール４１０の表面及び清掃ブラシ４４０の表面に接触するように回転し、加熱ロール４１０の表面に付着した現像剤及び清掃ロール４５０に接触した現像剤を清掃する第２の清掃部材として用いられていて、後述するモータ４６４（図４参照）からの駆動伝達を受けて図３に示す矢印ｃ方向に回転する。清掃ロール４５０としては、表面の材料が、例えば、ゴム、スポンジ、金属等からなるロールを用いることができる。清掃ロール４５０として、表面が金属であるロールを用いる場合は、表面を形成する金属に凹凸が形成されたものが用いられる。
【００４８】
ここで、矢印ｃで示されている清掃ロール４５０の回転する方向は、矢印aで示されている加熱ロール４１０の回転する方向と同じであり、矢印ｂで示されている清掃ブラシ４４０の回転する方向と同じである。このため、清掃ロール４５０と加熱ロール４１０とが接触する位置において、清掃ロール４５０の表面と加熱ロール４１０の表面とは逆方向に移動し、また周速差を持って回転する。また、清掃ロール４５０と清掃ブラシ４４０が接触する位置において、清掃ロール４５０の表面と清掃ブラシ４４０の表面とは逆方向に移動し、また周速差を持って回転する。清掃ロール４５０に、加熱ロール４１０に付着する現像の極性と逆の電圧を印加するようにしても良い。
【００４９】
また、定着装置４００は、清掃ブラシ４４０及び清掃ロール４５０により加熱ロール４１０から除去された現像剤が落下するように回収される回収容器４５６を有する。
【００５０】
上述のように、清掃ブラシ４４０の加熱ロール４１０に接触するも毛材の材質は樹脂等であり、清掃ロール４５０の表面はゴム、スポンジ、金属等であり、清掃ブラシ４４０及び清掃ロール４５０は、加熱ロール４１０に接触する部分の材質が互いに異なるものとなっている。
【００５１】
図４には、定着装置４００に駆動を伝達する駆動伝達機構４６０が示さている。
図４に示されているように、駆動伝達機構４６０は、ギアＧ１を有する。ギアＧ１は、回転部材４１２（図３参照）に装着されている。また、ギアＧ１に、例えばギア列等からなる減速機構４６２を介して駆動源として用いられているモータ４６４からの駆動が伝達されて、矢印a方向に回転するようになっている。
【００５２】
また、駆動伝達機構４６０は、ギアＧ２を有する。ギアＧ２は、清掃ブラシ４４０（図３参照）に装着されている。ギアＧ２は、ギアＧ３を介してギアＧ１から駆動が伝達されて、矢印ｂ方向に回転する。また、駆動伝達機構４６０は、ギアＧ４を有する。ギアＧ４は、清掃ロール４５０（図３参照）に装着されている。ギアＧ４は、ギアＧ５を介してギアＧ１から駆動が伝達されて、矢印ｃ方向に回転する。
【００５３】
以上のように構成された定着装置４００においては、清掃ブラシ４４０により加熱ロール４１０が清掃される。また、清掃ブラシ４４０が清掃ロール４５０によって清掃されるため、清掃ブラシ４４０に現像剤が付着することによる劣化が生じにくく、清掃ブラシ４４０が劣化することに伴う清掃ブラシ４４０による加熱ロール４１０の清掃不良が生じにくい。また、清掃ブラシ４４０により加熱ロール４１０の表面から除去されない現像剤があったとしても、この現像剤が清掃ロール４５０によって加熱ロール４１０の表面から除去される。
【００５４】
図５には、本発明の第１の実施形態に係る画像形成装置１０の変形例の要部が示されている。先述の第１の実施形態に係る画像形成装置１０においては、清掃ブラシ４４０及び清掃ロール４５０により加熱ロール４１０から除去された現像剤は、回収容器４５４に落下するように回収された。これに対して、この変形例においては、清掃ブラシ４４０及び清掃ロール４５０により加熱ロール４１０から除去された現像剤が回収容器４５４に回収され、さらには、現像剤搬送路２２０に案内される。現像剤搬送路２２０は、感光体ドラム１１０Ｋから清掃装置１１８によって除去された現像剤を、回収容器４５６へと搬送するためのものであり、定着装置４００近傍を通過している。以上で説明をした部分以外は、この変形例に係る画像形成装置の構成は、前述の第１の実施形態に係る画像形成装置と同じである。
【００５５】
図６には、本発明の第２の実施形態に係る画像形成装置７００が示されている。
先述の第１の実施形態に係る画像形成装置１０においては、加熱ロール４１０が第１の清掃部材として用いられている清掃ブラシ４４０と、第２の清掃部材として用いられている清掃ロール４５０とによって清掃された。これに対して、この第２の実施形態に係る画像形成装置７００においては、感光体ドラム１１０が第１の清掃部材として用いられている清掃ブラシ４４０と、第２の清掃部材として用いられている清掃ロール４５０とによって清掃される。
【００５６】
この第２の実施形態においては、感光体ドラム１１０は、表面が移動し、該表面で現像剤像を保持する像保持体として用いられていて、図６に示すように矢印a方向に回転する。清掃ブラシ４４０は感光体ドラム１１０に接触するように配置されていて矢印ｂ方向に回転する。清掃ロール４５０は、感光体ドラム１１０と清掃ブラシ４４０とに接触するように配置されていて、矢印ｃ方向に回転する。
【００５７】
ここで、矢印aで示されている感光体ドラム１１０が回転する方向と、矢印ｂで示されている清掃ブラシ４４０が回転する方向と、矢印ｃで示されている清掃ロール４５０が回転する方向とは同じである。清掃ブラシ４４０、清掃ロール４５０に、感光体ドラム１１０に付着する現像剤の極性と逆の電圧を印加するようにしても良い。
【００５８】
画像形成装置７００は、画像形成装置１０と同様に、帯電装置１１４と、潜像形成装置１６０と、現像装置１１６と、転写ロール２１０と、定着装置４００と、給紙装置３００と、レジストロール５１４と、排出ロール５１８とを有する。
【産業上の利用可能性】
【００５９】
以上述べたように、本発明は、少なくとも、例えばプリンタ、ファクシミリ、複写機等の画像形成装置に利用することができる。
【符号の説明】
【００６０】
１０・・・画像形成装置
１００・・・現像剤像形成部
１１０・・・感光体ドラム
４００・・・定着装置
４１０・・・加熱ロール
４１２・・・回転部材
４１４・・・熱源
４３０・・・加圧ロール
４４０・・・清掃ブラシ
４５０・・・清掃ロール
４５４・・・回収容器
４５６・・・回収容器
４６０・・・駆動伝達機構
【図１】
2013213959.tif 000003
【図２】
2013213959.tif 000004
【図３】
2013213959.tif 000005
【図４】
2013213959.tif 000006
【図５】
2013213959.tif 000007
【図６】
2013213959.tif 000008